(57)【特許請求の範囲】
【請求項１】
鍵盤部を収容した楽器本体に、前記鍵盤部を覆うための鍵盤蓋を上下方向に回転可能に取り付けた鍵盤楽器の鍵盤蓋構造において、
前記鍵盤蓋に、当該鍵盤蓋が回転して前記鍵盤部を覆って閉じた際に、前記楽器本体の上面に当接可能な状態で接近する突起部を設け、
前記突起部には、前記鍵盤蓋を回転させて前記鍵盤部を開放した際に、譜面を立て掛けるための譜面受け部が設けられていることを特徴とする鍵盤楽器の鍵盤蓋構造。
【請求項２】
前記楽器本体の前記上面とこれに対向する前記突起部の先端面との間には、前記鍵盤蓋が前記鍵盤部を覆って閉じた状態で前記鍵盤蓋が撓んだ際に、前記突起部を前記楽器本体に当接可能にするための隙間が設けられていることを特徴とする請求項１に記載の鍵盤楽器の鍵盤蓋構造。
【請求項３】
前記楽器本体の内面には、補強部が前記鍵盤蓋の前記突起部に対応して設けられていることを特徴とする請求項１または請求項２に記載の鍵盤楽器の鍵盤蓋構造。
【発明の詳細な説明】
【技術分野】
【０００１】
この発明は、電子ピアノや電子オルガンなどの鍵盤楽器の鍵盤蓋構造に関する。
【背景技術】
【０００２】
従来、電子ピアノなどの鍵盤楽器においては、特許文献１に記載されているように、楽器本体内に設けられた鍵盤部を覆うための鍵盤蓋の後部における両側に、一対の腕部材を鍵盤蓋の後方に延出させて設け、この一対の腕部材を楽器本体内の両側に設けられた一対の取付軸に回転可能に取り付けることにより、この一対の取付軸を中心に鍵盤蓋を上下方向に回転させて鍵盤部を開閉するように構成したものが知られている。
【先行技術文献】
【特許文献】
【０００３】
【特許文献１】特開平０５−３１３６５３号公報
【発明の概要】
【発明が解決しようとする課題】
【０００４】
しかしながら、このような従来の鍵盤楽器における鍵盤蓋構造では、楽器本体内の両側に設けられた一対の取付軸によって鍵盤蓋を回転可能に支持している構成であるから、鍵盤蓋を閉じた際に、一対の取付軸の間で鍵盤蓋が撓みやすい。このため、鍵盤蓋を閉じた状態で、鍵盤蓋の上に荷物などの物を載せると、鍵盤蓋が大きく撓んで変形してしまうという問題がある。
【０００５】
この発明が解決しようとする課題は、鍵盤蓋の撓みを抑制して鍵盤蓋の撓みによる変形を防ぐことができる鍵盤楽器の鍵盤蓋構造を提供することである。
【課題を解決するための手段】
【０００６】
この発明は、上記課題を解決するために、次のような構成要素を備えている。
請求項１に記載の発明は、  鍵盤部を収容した楽器本体に、前記鍵盤部を覆うための鍵盤蓋を上下方向に回転可能に取り付けた鍵盤楽器の鍵盤蓋構造において、
前記鍵盤蓋に、当該鍵盤蓋が回転して前記鍵盤部を覆って閉じた際に、前記楽器本体の上面に当接可能な状態で接近する突起部を設け、前記突起部には、前記鍵盤蓋を回転させて前記鍵盤部を開放した際に、譜面を立て掛けるための譜面受け部が設けられていることを特徴とする鍵盤楽器の鍵盤蓋構造である。
【０００７】
請求項２に記載の発明は、前記楽器本体の前記上面とこれに対向する前記突起部の先端面との間に、前記鍵盤蓋が前記鍵盤部を覆って閉じた状態で前記鍵盤蓋が撓んだ際に、前記突起部を前記楽器本体に当接可能にするための隙間が設けられていることを特徴とする請求項１に記載の鍵盤楽器の鍵盤蓋構造である
【０００９】
請求項３に記載の発明は、前記楽器本体の内面には、補強部が前記鍵盤蓋の前記突起部に対応して設けられていることを特徴とする請求項１または請求項２に記載の鍵盤楽器の鍵盤蓋構造である。
【発明の効果】
【００１０】
この発明によれば、鍵盤蓋が鍵盤部を覆って閉じた際に、鍵盤蓋が撓むと、鍵盤蓋に設けられた突起部が楽器本体の上面に当接して、鍵盤蓋の撓みを抑制することができる。このため、鍵盤蓋の上に荷物などの物を載せても、鍵盤蓋が大きく撓んで変形するのを防ぐことができる。
【図面の簡単な説明】
【００１１】
【図１】この発明を適用した鍵盤楽器の実施形態１において鍵盤蓋を開いた状態を示した斜視図である。
【図２】図１のＡ−Ａ矢視において鍵盤蓋を閉じた状態を示した拡大断面図である。
【図３】図２において鍵盤蓋を開いた状態を示した拡大断面図である。
【図４】図１の鍵盤楽器において鍵盤蓋を閉じた状態における一部を破断して示した拡大側面図である。
【図５】図１の鍵盤楽器において一部を破断して示した拡大側面図である。
【図６】図４の鍵盤楽器において突起部の先端面と楽器本体の上面との間の隙間を示した要部の拡大断面図である。
【図７】この発明を適用した鍵盤楽器の実施形態２において鍵盤蓋を開いた状態を示した斜視図である。
【図８】図７の鍵盤楽器において鍵盤蓋を閉じた状態における一部を破断して示した拡大側面図である。
【図９】図７の鍵盤楽器において一部を破断して示した拡大側面図である。
【発明を実施するための形態】
【００１２】
（実施形態１）
以下、図１〜図６を参照して、この発明を適用した鍵盤楽器の実施形態１について説明する。
この鍵盤楽器は、図１〜図３に示すように、楽器本体１を備えている。この楽器本体１は、底板部２と、この底板部２の前端部（図２では左端部）に起立して設けられた前板部３と、底板部２の後端部（図２では右端部）に起立して設けられた後板部４と、底板部２の両側（図１では左右の両側）に起立して設けられた一対の側板部５と、この一対の側板部５上および後板部４上に配置された上板部６とを備えている。
【００１３】
この場合、上板部６は、図１に示すように、その前側（図１では手前側）のほぼ半分程度が切り欠かれて開放されている。この楽器本体１の上板部６には、スイッチ部９ａおよびスピーカ部９ｂが設けられている。これにより、楽器本体１は、前部側が上方に開放された箱形状に形成されている。
【００１４】
この楽器本体１の内部には、図１〜図３に示すように、鍵盤部７が設けられている。この鍵盤部７は、白鍵８ａおよび黒鍵８ｂを備え、これら白鍵８ａおよび黒鍵８ｂが鍵盤シャーシ（図示せず）上に上下方向に回転可能に取り付けられた状態で多数配列された構成になっている。また、この楽器本体１には、図１〜図３に示すように、鍵盤部７を開閉自在に覆う鍵盤蓋１０が蓋開閉装置１１によって開閉可能に取り付けられている。
【００１５】
この鍵盤蓋１０は、蓋開閉装置１１によって上下方向に回転することにより、図２に示すように、楽器本体１の上部に配置されて楽器本体１を閉じた際に鍵盤部７を覆い隠し、また図３に示すように、楽器本体１の後方（図２では右側）に少し傾いた状態で起立して楽器本体１を開いた際に鍵盤部７を上方に露出させるように構成されている。
【００１６】
この鍵盤蓋１０の蓋開閉装置１１は、図１〜図３に示すように、楽器本体１内の後端部に位置する一対の側板部５間に架け渡された支持軸１２と、鍵盤蓋１０の下面における両側に取り付けられて支持軸１２にそれぞれ回転自在に取り付けられたアーム部材１３と、このアーム部材１３にそれぞれ取り付けられて支持軸１２を中心に鍵盤蓋１０と共に回転する連動歯車１４と、楽器本体１の側板部５の内面にそれぞれ設けられて鍵盤蓋１０の開閉動作を制動するダンパ装置１５とを備えている。
【００１７】
これにより、鍵盤蓋１０は、図２および図３に示すように、支持軸１２を中心にアーム部材１３および連動歯車１４と共に上下方向に回転するように構成されている。この場合、連動歯車１４は、図２および図３に示すように、支持軸１２を中心に鍵盤蓋１０がアーム部材１３と共に回転する際に、鍵盤蓋１０の開閉動作をダンパ装置１５に伝達するように構成されている。
【００１８】
すなわち、この連動歯車１４は、図２および図３に示すように、全体がほぼ扇形状に形成されており、その外周面には、歯部１４ａが設けられている。また、この連動歯車１４は、その要となる部分が支持軸１２に回転可能に取り付けられている。これにより、連動歯車１４は、鍵盤蓋１０と共に回転するアーム部材１３の回転に伴って支持軸１２を中心に回転するように構成されている。
【００１９】
ダンパ装置１５は、図２および図３に示すように、一対の側板部５の内面に取り付けられた装置本体１６を備えている。この装置本体１６の内部には、図示しないが、鍵盤蓋１０と共に回転する回転体と、この回転体の回転を制動する制動ばねとが設けられている。この場合、回転体には、連動歯車１４の歯部１４ａに噛み合って回転する歯車部１７が装置本体１６の外部に露出して設けられている。
【００２０】
また、制動ばねは、コイルばねであり、一端部が回転体に取り付けられ、他端部が装置本体に取り付けられている。これにより、制動ばねは、自由状態のときにニュートラル状態となり、このニュートラル状態を境にして回転体が一方向に回転すると、収縮変形して回転体に負荷を付与し、またニュートラル状態を境にして回転体が逆方向に回転すると、膨張変形して回転体に負荷を付与するように構成されている。
【００２１】
これにより、ダンパ装置１５は、鍵盤蓋１０が閉じた状態から完全に開くまでの中間位置で、制動ばねがニュートラル状態となり、この中間位置から鍵盤蓋１０が閉じる際に制動ばねが収縮変形して鍵盤蓋１０に負荷を付与し、また中間位置から鍵盤蓋１０が開く際に制動ばねが膨張変形して鍵盤蓋１０に負荷を付与するように構成されている。
【００２２】
ところで、この鍵盤蓋１０には、図１、図４〜図６に示すように、鍵盤蓋１０が鍵盤部７を覆って閉じた際に、楽器本体１の上板部６の上面に当接可能な状態で接近する突起部１８がビス１８ａによって取り付けられている。この突起部１８は、シリコーンゴムなどの合成ゴムや天然ゴムで形成されていても良く、またアルミニウムなどの金属や硬質の合成樹脂で形成されていても良い。
【００２３】
この場合、突起部１８は、図１に示すように、鍵盤蓋１０の内面（図４では下面）の後部側における左右方向のほぼ中間位置に鍵盤蓋１０の長手方向（つまり鍵盤部７の白鍵８ａおよび黒鍵８ｂの配列方向）に沿って細長く設けられている。また、この突起部１８の先端面（図６では下端面）とこれに対向する楽器本体１の上板部６の上面との間には、図６に示すように、鍵盤蓋１０が鍵盤部７を覆って閉じた際に、僅かな隙間Ｓが設けられている。
【００２４】
この隙間Ｓは、鍵盤蓋１０が鍵盤部７を覆って閉じた状態で鍵盤蓋１０が撓んだ際に、突起部１８を楽器本体１の上板部６の上面に当接可能にするためのものであり、例えば１ｍｍ程度に設けられている。これにより、突起部１８は、鍵盤蓋１０が鍵盤部７を覆って閉じた状態で鍵盤蓋１０が撓んだ際に、突起部１８の下端部が楽器本体１の上板部６の上面に当接するように構成されている。
【００２５】
この場合、楽器本体１の上板部６の内面（図４では下面）には、図４に示すように、上板部６を補強するための補強リブ１９が鍵盤蓋１０の突起部１８に対応して設けられている。また、突起部１８には、図１に示すように、鍵盤蓋１０を上方に回転させて鍵盤部７を開放した際に、譜面２０を立てるための譜面受け部２１が設けられている。この譜面受け部２１は、図６に示すように、突起部１８の前側面（図６では左側面）に設けられており、この前側面の下部には、譜面２０の下端部を係止するためのエッジ部２１ａが設けられている。
【００２６】
これにより、譜面受け部２１は、図１に示すように、鍵盤蓋１０が後方（図５では右側）に少し傾いて起立した際に、突起部１８が鍵盤蓋１０の前面における下部に位置して鍵盤蓋１０の前側に向けて突出することにより、突起部１８の上面側に位置することになり、この状態で譜面２０の下端部を支持して鍵盤蓋１０の前面に立て掛けられるように構成されている。
【００２７】
次に、このような鍵盤楽器を使用する場合について説明する。
この場合には、まず、鍵盤蓋１０を上方に回転させて鍵盤部７を開放させて露出させる。このときには、鍵盤蓋１０の前端部を持ち上げて蓋開閉装置１１の支持軸１２を中心に鍵盤蓋１０を上方に回転させる。すると、蓋開閉装置１１のアーム部材１３が支持軸１２を中心に連動歯車１４と共に回転し、この連動歯車１４の回転に伴ってダンパ装置１５の歯車部１７が回転する。
【００２８】
このときには、ダンパ装置１５の制動ばねが収縮している状態から膨張するように変形するため、鍵盤蓋１０を軽い力で開く始めることができる。そして、鍵盤蓋１０が中間位置まで開くと、ダンパ装置１５の制動ばねがニュートラル状態になる。この後、鍵盤蓋１０を更に開く際には、ダンパ装置１５の制動ばねが徐々に膨張するように変形し、鍵盤蓋１０に負荷を付与するので、鍵盤蓋１０の回転動作が徐々に重くなる。
【００２９】
そして、鍵盤蓋１０が回転して完全に開くと、図１および図３に示すように、鍵盤蓋１０の両側に設けられた一対のアーム部材１３が楽器本体１内の支持軸１２に支持された状態で、図３に示すように、楽器本体１の後方に少し傾いた状態で起立する。これにより、図１および図３に示すように、鍵盤部７が開放されるので、鍵盤部７を押鍵操作して演奏することができる。
【００３０】
このときには、図１に示すように、鍵盤蓋１０の前面側に向けて突起部１８が突出した状態になり、この突出した状態の突起部１８の上部側に譜面受け部２１が位置するので、この譜面受け部２１に譜面２０を乗せて鍵盤蓋１０に立て掛けることができる。このため、譜面２０を見ながら演奏することができる。
【００３１】
また、鍵盤蓋１０を閉じる際には、図３において鍵盤蓋１０の上部を手前側（図３では左側）に引き寄せて蓋開閉装置１１の支持軸１２を中心に鍵盤蓋１０を下方に回転させる。すると、蓋開閉装置１１のアーム部材１３が支持軸１２を中心に連動歯車１４と共に回転し、この連動歯車１４の回転に伴ってダンパ装置１５の歯車部１７が回転する。
【００３２】
このときには、ダンパ装置１５の制動ばねが膨張している状態から収縮するように変形するため、鍵盤蓋１０を軽い力で閉じ始めることができる。そして、鍵盤蓋１０が中間位置まで開くと、ダンパ装置１５の制動ばねがニュートラル状態になる。この後、鍵盤蓋１０を更に閉じる際には、ダンパ装置１５の制動ばねが徐々に収縮するように変形し、鍵盤蓋１０に負荷を付与するので、鍵盤蓋１０の回転動作が徐々に重くなる。
【００３３】
そして、鍵盤蓋１０が回転して完全に閉じると、図１および図３に示すように、鍵盤蓋１０の両側に設けられた一対のアーム部材１３が楽器本体１内の支持軸１２に支持された状態で、図２および図４に示すように、鍵盤蓋１０が楽器本体１の上部に配置される。このときには、鍵盤蓋１０に設けられた突起部１８が楽器本体１の上板部６の上面に僅かな隙間Ｓを有して接近する。
【００３４】
この状態で、鍵盤蓋１０の上に荷物などの物を載せて鍵盤蓋１０が一対のアーム部材１３の間で撓むと、鍵盤蓋１０の突起部１８が楽器本体１の上板部６に当接する。このため、鍵盤蓋１０は鍵盤蓋１０の突起部１８と楽器本体１の上板部６との間の隙間Ｓに応じて僅かに撓むだけであるから、鍵盤蓋１０の撓みを抑制することができ、これにより鍵盤蓋１０が大きく撓んで変形するのを阻止することができる。
【００３５】
このように、この鍵盤楽器の鍵盤蓋構造によれば、鍵盤蓋１０に、この鍵盤蓋１０が鍵盤部７を覆って閉じた際に、楽器本体１の上面に当接可能な状態で接近する突起部１８を設けた構成であるから、鍵盤蓋１０が鍵盤部７を覆って閉じた状態で、鍵盤蓋１０が撓むと、鍵盤蓋１０の突起部１８が楽器本体１の上面に当接して、鍵盤蓋１０の撓みを抑制することができ、これにより鍵盤蓋１０の上に荷物などの物を載せても、鍵盤蓋１０が大きく撓んで変形するのを防ぐことができる。
【００３６】
この場合、突起部１８がシリコーンゴムなどの合成ゴムや天然ゴムで形成されていれば、鍵盤蓋１０の変形によって突起部１８が楽器本体１の上板部６の上面に当接しても、楽器本体１の上面を傷付けることがない。また、突起部１８がアルミニウムなどの金属や硬質の合成樹脂で形成されていれば、突起部１８を鍵盤蓋１０の長手方向（つまり鍵盤部７の白鍵８ａおよび黒鍵８ｂの配列方向）に沿って細長く形成することにより、この突起部１８の剛性によっても鍵盤蓋１０の撓みを抑制することができる。
【００３７】
また、楽器本体１の上面とこれに対向する突起部１８の先端面との間には、鍵盤蓋１０が鍵盤部７を覆って閉じた状態で鍵盤蓋１０が撓んだ際に、突起部１８を楽器本体１の上面に当接可能にするための僅かな隙間Ｓが設けられているので、鍵盤蓋１０を閉じた際に突起部１８が楽器本体１の上面に当接するのを防ぐことができる。このため、鍵盤蓋１０を開閉する際に、突起部１８によって楽器本体１の上面を傷付けることがないほか、鍵盤蓋１０が鍵盤部７を覆って閉じた状態で鍵盤蓋１０が撓む際に、隙間Ｓに応じて僅かに撓むだけであるから、鍵盤蓋１０の撓みを確実に抑制することができる。
【００３８】
また、突起部１８には、鍵盤蓋１０を上方に回転させて鍵盤部７を開放した際に、譜面を立て掛けるための譜面受け部２１が設けられているので、鍵盤蓋１０を開いて鍵盤部７を露出させ、この状態で鍵盤部７を押鍵操作して演奏する際に、突起部１８の譜面受け部２１に譜面２０を乗せて鍵盤蓋１０に立て掛けることができる。このため、譜面２０を見ながら鍵盤部７を良好に押鍵操作して演奏することができる。この場合、譜面受け部２１には、譜面２０の下端部を係止するためのエッジ部２１ａが設けられているので、譜面受け部２１に譜面２０を確実に且つ良好に乗せて鍵盤蓋１０に立て掛けることができる。
【００３９】
さらに、楽器本体１の内面には、補強リブ１９が鍵盤蓋１０の突起部１８に対応して設けられているので、鍵盤蓋１０を閉じた状態で鍵盤蓋１０の上に荷物などの物を載せた際に、鍵盤蓋１０に大きな荷重が加わって突起部１８が楽器本体１の上面に強く押し当てられても、補強リブ１９によって突起部１８を楽器本体１の上板部６上に確実に支持することができると共に、補強リブ１９によって楽器本体１が変形したり破損したりするのを防ぐことができる。
【００４０】
（実施形態２）
次に、図７〜図９を参照して、この発明を適用した鍵盤楽器の実施形態２について説明する。なお、図１〜図６に示された実施形態１と同一部分には同一符号を付して説明する。
この鍵盤楽器は、図７に示すように、鍵盤蓋１０に第１、第２の各突起部２５、２６を設けると共に、楽器本体１の上板部６の内面に補強ボス２７を設けた構成であり、これ以外は実施形態１とほぼ同じ構成になっている。
【００４１】
すなわち、第１の突起部２５は、実施形態１と同様、鍵盤蓋１０の内面における下部のほぼ中間部に鍵盤蓋１０の長手方向（つまり鍵盤部７の白鍵８ａおよび黒鍵８ｂの配列方向）に沿って細長く設けられている。また、第２の突起部２６は、第１の突起部２５と同様、鍵盤蓋１０の内面における下部のほぼ中間部に第１の突起部２５よりも短い長さで設けられている。
【００４２】
この場合にも、第１、第２の各突起部２５、２６は、図８に示すように、鍵盤蓋１０が鍵盤部７を覆って閉じた際に、楽器本体１の上板部６の上面に当接可能な状態で接近するように構成されている。また、この第１、第２の各突起部２５、２６も、実施形態１と同様、シリコーンゴムなどの合成ゴムや天然ゴムで形成されていても良く、またアルミニウムなどの金属や硬質の合成樹脂で形成されていても良い。
【００４３】
また、この第１、第２の各突起部２５、２６の各先端面（図８では各下端面）とこれに対向する楽器本体１の上板部６の上面との間には、実施形態１の図６に示したように、鍵盤蓋１０が鍵盤部７を覆って閉じた際に、僅かな隙間Ｓがそれぞれ設けられている。この隙間Ｓは、実施形態１と同様、鍵盤蓋１０が鍵盤部７を覆って閉じた状態で鍵盤蓋１０が撓んだ際に、第１、第２の各突起部２５、２６を楽器本体１の上板部６の上面に当接可能にするためのものであり、例えば１ｍｍ程度に設けられている。
【００４４】
これにより、第１、第２の各突起部２５、２６は、鍵盤蓋１０が鍵盤部７を覆って閉じた状態で鍵盤蓋１０が撓んだ際に、第１、第２の各突起部２５、２６の各先端部が楽器本体１の上板部６の上面に当接するように構成されている。この場合、第１の突起部２５は、実施形態１と同様、鍵盤蓋１０を上方に回転させて鍵盤部７を開放した際に、譜面２０を立てるための譜面受け部２１が設けられている。
【００４５】
また、楽器本体１の上板部６の内面（図８では下面）には、実施形態１と同様、上板部６を補強するための補強リブ１９が鍵盤蓋１０の第１の突起部２５に対応して設けられているほか、図８に示すように、補強ボス２７が第２の突起部２６に対応して設けられている。この補強ボス２７は、上板部６の上面に開放された円筒状に形成され、その下端部が楽器本体１内に設けられた鍵盤シャーシの後端部２８に当接し、この状態でビス２７ａが上方から挿入して鍵盤シャーシの後端部２８上に取り付けられるように構成されている。
【００４６】
このような鍵盤楽器の鍵盤蓋構造によれば、鍵盤蓋１０に、この鍵盤蓋１０が鍵盤部７を覆って閉じた際に、楽器本体１の上面に当接可能な状態で接近する第１、第２の各突起部２５、２６を設けた構成であるから、鍵盤蓋１０が鍵盤部７を覆って閉じた状態で、鍵盤蓋１０が撓むと、鍵盤蓋１０の第１、第２の各突起部２５、２６が楽器本体１の上面に当接して、鍵盤蓋１０の撓みを抑制することができる。このため、実施形態１と同様、鍵盤蓋１０の上に荷物などの物を載せても、鍵盤蓋１０が大きく撓んで変形するのを防ぐことができる。
【００４７】
この場合にも、第１、第２の各突起部２５、２６がシリコーンゴムなどの合成ゴムや天然ゴムで形成されていれば、鍵盤蓋１０の変形によって第１、第２の各突起部２５、２６が楽器本体１の上板部６の上面に当接しても、楽器本体１を傷付けることがない。また、第１、第２の各突起部２５、２６がアルミニウムなどの金属や硬質の合成樹脂で形成されていれば、第１、第２の各突起部２５、２６を鍵盤蓋１０の長手方向（つまり鍵盤部７の白鍵８ａおよび黒鍵８ｂの配列方向）に沿って細長く形成することにより、各突起部２５、２６の剛性によっても鍵盤蓋１０の撓みを抑制することができる。
【００４８】
また、楽器本体１の上板部６の上面とこれに対向する第１、第２の各突起部２５、２６の各先端面との間には、鍵盤蓋１０が鍵盤部７を覆って閉じた状態で鍵盤蓋１０が撓んだ際に、第１、第２の各突起部２５、２６を楽器本体１の上面に当接可能にするための僅かな隙間Ｓが設けられているので、実施形態１と同様、鍵盤蓋１０を閉じた際に第１、第２の各突起部２５、２６が楽器本体１の上面に当接するのを防ぐことができる。
【００４９】
このため、実施形態１と同様、鍵盤蓋１０を開閉する際に、第１、第２の各突起部２５、２６によって楽器本体１の上面を傷付けることがないほか、鍵盤蓋１０が鍵盤部７を覆って閉じた状態で鍵盤蓋１０が撓む際に、隙間Ｓに応じて僅かに撓むだけであるから、鍵盤蓋１０の撓みを確実に抑制することができる。
【００５０】
また、楽器本体１の内面には、補強リブ１９と補強ボス２７とが鍵盤蓋１０の第１、第２の各突起部２５、２６に対応して設けられているので、鍵盤蓋１０を閉じた状態で鍵盤蓋１０の上に荷物などの物を載せた際に、鍵盤蓋１０に大きな荷重が加わって第１、第２の各突起部２５、２６が楽器本体１の上面に強く押し当てられても、補強リブ１９と補強ボス２７によって第１、第２の各突起部２５、２６を楽器本体１の上板部６上に確実に支持することができると共に、補強リブ１９および補強ボス２７によって楽器本体１が変形したり破損したりするのを防ぐことができる。
【００５１】
この場合、補強ボス２７は、楽器本体１内に設けられた鍵盤シャーシの後端部２８上にビス２７ａによって固定されているので、楽器本体１の上板部６を強固に支持することができる。このため、鍵盤蓋１０に大きな荷重が加わって鍵盤蓋１０が撓んで、補強ボス２７に対応する上板部６の上面に第２の突起部２６が強く押し当てられても、鍵盤蓋１０の変形を確実に防ぐことができると共に、楽器本体１が変形したり破損したりするのを確実に防ぐことができる。
【符号の説明】
【００５２】
１  楽器本体
６  上板部
７  鍵盤部
１０  鍵盤蓋
１１  蓋開閉装置
１２  支持軸
１３  アーム部材
１８  突起部
１９  補強リブ
２０  譜面
２１  譜面受け部
２５、２６  第１、第２の各突起部
２７  補強ボス
【図１】
0005477765.tif 000002
【図２】
0005477765.tif 000003
【図３】
0005477765.tif 000004
【図４】
0005477765.tif 000005
【図５】
0005477765.tif 000006
【図６】
0005477765.tif 000007
【図７】
0005477765.tif 000008
【図８】
0005477765.tif 000009
【図９】
0005477765.tif 000010